(57)【要約】      （修正有）【課題】テナント等に設置される美感に優れた無線式火災感知器を得る。【解決手段】火災受信機１と、該火災受信機１と信号線４によって接続されて監視制御される無線式中継器２と、該無線式中継器２と無線通信によって状態信号を送受信する無線式感知器３と、を備える火災報知設備において、前記無線式感知器３は、天井面Ｃに埋込型として設置される。無線式感知器３は、送受信部に接続されるアンテナ外付けタイプまたはアンテナ内蔵タイプである。【選択図】図１
2012079052.tif 000002
【特許請求の範囲】
【請求項１】
火災受信機と、該火災受信機と信号線によって接続されて監視制御される中継器と、該中継器と無線通信によって状態信号を送受信する火災感知器と、を備える火災報知設備に
おいて、
前記火災感知器は、天井面に埋込型として設置されることを特徴とする火災報知設備。
【請求項２】
前記火災感知器は、送受信部に接続されるアンテナ外付けタイプまたはアンテナ内蔵タイプであることを特徴とする請求項１記載の火災報知設備。
【請求項３】
前記中継器は、天井面に設置されるとともに、前記火災感知器と外観を同一または類似させたことを特徴とする請求項１または２記載の火災報知設備。
【発明の詳細な説明】
【技術分野】
【０００１】
本発明は各機器との間で無線通信を用いた火災報知設備に関し、特に、テナント等の設置物件において美感に優れた火災報知設備に関するものである。
【背景技術】
【０００２】
例えば、従来の無線式警報器においては、建物の天井に設置された無線式感知器は、建物の壁面に設置された無線受信用中継器との間で送受信される無線信号が障害物等によって遮蔽されずに確実に伝わるように、美感では劣るものの露出型が設置されていた（例えば、特許文献１参照）。
【先行技術文献】
【特許文献】
【０００３】
【特許文献１】特開２０１０−１４０３９０号公報（図１）
【発明の概要】
【発明が解決しようとする課題】
【０００４】
従来の無線式警報器では、例えば、システム天井が用いられたテナント等に露出型の無線式感知器が設置されるため、天井面から下方に突出部分が多くて美感上の問題があった。
また、従来の無線受信用中継器では、例えば、無線式感知器とは異なる外観をなし、略箱状の筐体が壁面に設置されるため、他の無線式システムとの識別が容易でなくなったり、間仕切り変更の際に、無線受信用中継器だけでなく、無線式感知器も配置変更を余儀なくされる可能性があった。
【０００５】
本発明はかかる問題点を解決するためになされたもので、テナント等に設置される美感に優れた無線式火災感知器を得ることを目的とする。
【課題を解決するための手段】
【０００６】
本発明の火災報知設備は、火災受信機と、該火災受信機と信号線によって接続されて監視制御される中継器と、該中継器と無線通信によって状態信号を送受信する火災感知器と、を備える火災報知設備において、前記火災感知器は、天井面に埋込型として設置される。
【発明の効果】
【０００７】
本発明の火災報知設備は、火災受信機と、該火災受信機と信号線によって接続されて監視制御される中継器と、該中継器と無線通信によって状態信号を送受信する火災感知器と、を備える火災報知設備において、前記火災感知器は、天井面に埋込型として設置されるので、
テナント等の美感を損ねない。
【図面の簡単な説明】
【０００８】
【図１】本発明に係る実施の形態の無線式の自動火災報知設備のシステム構成図
【図２】無線式中継器と無線式感知器の外観を示す斜視図
【発明を実施するための形態】
【０００９】
図１は本発明に係る実施の形態の無線式の自動火災報知設備のシステム構成を示す説明図、図２は無線式中継器と無線式感知器の外観を示す斜視図である。
【００１０】
図１に示す火災受信機１は、例えば、防災センタに設置され、建物全体の火災報知設備を集中監視する。また、無線式中継器２は、火災受信機１と各回線毎に信号線で接続され、例えば、建物内部のテナント等の天井面Ｃに設置される。さらに、無線式感知器３は無線式中継器２同様に、例えば、建物内部のテナント等の天井面Ｃに設置される。そして、１台の無線式中継器２の送信範囲に全数の無線式感知器３が配置され、双方向に無線通信されている。
【００１１】
無線式中継器２は火災受信機１によって監視制御され、無線式感知器３は無線式中継器２によって監視制御される。ただし、無線式中継器２は、火災受信機１が建物に未設置の状態などによって他の機器から電源供給されていなくても、無線式中継器２と無線式感知器３との間で状態情報を無線通信できるように、図示しないバッテリを搭載している。
【００１２】
無線式感知器３は、天井面Ｃに埋込型として設置される。ここで埋込とは、天井面Ｃよりも上方の空間に凹部を設け、その凹部に無線式感知器３の一部（上部）が収まるように設置することである。
一般的に、埋込型はユーザが設備導入によって建物内の美感を損ねたくない要望に応じて露出型の代替として設置される。そして、火災報知設備における埋込型は火災感知器だけでなく、火災発信機や火災受信機などがある。
【００１３】
次に、無線式感知器３が火災を検出したときの動作を説明する。
無線式感知器３が火災を検出すると、ＩＤ（識別情報）と状態情報を含めた火災検知信号を図示しない送受信部に接続されたアンテナを介して無線式中継器２に無線送信する。そして、無線式中継器２がアンテナを介して図示しない送受信部により無線信号を受信すると、ＩＤと状態情報に基づいた火災信号を、火災受信機１に信号線４により送信する。
火災受信機１は火災信号を受信すると、火元の無線式感知器３の該当する回線や区画等について表示と音声により警報する。
【００１４】
図１において、無線式感知器３は、煙感知器であるが、熱感知器や炎感知器としてもよい。また、無線式中継器２は、露出型を使用しているが、無線式感知器３と同様に、埋込型としてもよい。
このように、無線式中継器２と無線式感知器３が天井面Ｃに設置されることで、間仕切り変更の多いテナント等でも対応可能であるとともに、美感を損ねない。
【００１５】
さらに、無線式中継器２と無線式感知器３を天井面Ｃに取付する各ベースは、例えば、ツイストロックなどの同じ方法で取付できるものとしてもよい。なお、双方が、図２の無線式中継器２と無線式感知器３（熱感知器の例）のように、ベースは共通部品として外観が同じまたは類似していることにより、作業者が施工や点検のときに他の設備が混在していても火災報知設備と容易に識別できる。
【００１６】
図１において、例えば、無線式感知器３は、ポール状の外付けアンテナが設けられたタイプと、パターンアンテナが図示しない回路基板に実装されたアンテナ内蔵タイプとが各１台ずつ設置されているが、建物内に適宜に設けられる。
なお、無線式感知器３の天井面Ｃへの埋込度合いとしては、ポール状の外付けアンテナが設けられたタイプは、無線式感知器３の本体部に外付けされているアンテナの先端部が、少なくとも天井面Ｃから出るような位置に無線式感知器３は埋め込まれることにより、埋込型であっても無線式中継器２と無線通信できるようにしている。
また、パターンアンテナが図示しない回路基板に実装されたアンテナ内蔵タイプは、無線式感知器３の本体部に内蔵されているパターンアンテナの実装面が、少なくとも天井面Ｃから出るような位置に無線式感知器３は埋め込まれることにより、埋込型であっても無線式中継器２と無線通信できるようにしている。
【符号の説明】
【００１７】
１ 火災受信機、２ 無線式中継器、３無線式感知器、４  信号線、Ｃ  天井面。
【図１】
2012079052.tif 000003
【図２】
2012079052.tif 000004